(57)【要約】【課題】半田付け装置のコテ先が、半田付け対象に接触する面積を広くして熱の供給量を多くする。また、狭い部分に挿入する際に、コテ先が隣接する部分へ接触しても半田が付着しない半田付け装置を提供するものである。【解決手段】コテ先１０に溝２０を備える半田付け装置１００であって、前記溝２０が前記コテ先１０の先端面３０に開口し、かつ前記先端面３０に向かって深くなっていることを特徴とし、さらに前記半田付け装置１００は、半田付着面が前記溝２０部分と前記先端面３０の２箇所に限定されている事を特徴とする。【選択図】      図１
0003106301.tif 000002
【実用新案登録請求の範囲】
【請求項１】
溝を備える半田付け装置のコテ先であって、
前記溝が前記コテ先の先端面に開口し、かつ前記先端面に向かって深くなっていることを特徴とする、半田付け装置。
【請求項２】
半田付着面を前記溝部分と前記先端面の２箇所に限定したことを特徴とする請求項１記載の半田付け装置。
【考案の詳細な説明】
【技術分野】
【０００１】
本考案は、コテ先に溝を備えた半田付け装置に関する。
【背景技術】
【０００２】
近年は、半田付けの際に高い温度が必要な鉛フリー半田等も使用されている。また、半田付け対象の小型化が進んでいる。従来の半田付け装置を用いると、手前にあるリード等が障害となって、その奥にある半田付け対象部分にコテ先が十分に接触しない場合がある。すると、コテ先から半田付け対象部分への熱の伝導が難しい。また、狭い部分で従来のコテ先を奥まで挿入しようとすると、コテ先が隣接する部分に不用意に触れてしまい、余分な半田が付着する原因となる。
【０００３】
一方、半田付け部分への熱供給を多くするための、半田付装置が提案されている。半田付け装置のコテ先をその先端部分に開口した中空とし、そのコテ先の根元側に半田層を設けている。半田は中空部を通ってコテ先に供給され、半田付け対象への熱供給を多くしている。しかしこの半田付け装置には、半田が流れ出るのを防ぐためにコテ先の先端部にシャッターを設けるなど、複雑な仕組みが必要である。
【０００４】
また、溝を備える半田付け装置のコテ先において、溝の終端にコテ先を貫通する孔を設けて、その孔に余分な半田を吸い上げるコテ先の構造が提案されている。しかし、この提案は半田付け対象への熱供給を多くするものではない。
【特許文献１】特開２００１−９６３５９号広報
【特許文献２】特開２００２−３１６２６０号広報
【考案の開示】
【考案が解決しようとする課題】
【０００５】
本考案は、半田付け装置のコテ先が半田付け対象部分に接触する面積を広くし、コテ先から半田付け対象部分への熱供給を多くする。また、狭い部分にコテ先を挿入する際に、コテ先が隣接する部分へ接触しても半田が付着しない半田付け装置を提供するものである。
【課題を解決するための手段】
【０００６】
溝を備える半田付け装置であって、前記溝が前記半田付け装置のコテ先の先端面に開口し、かつ前記先端面に向かって深くなっていることを特徴とする、半田付け装置。
【０００７】
さらに前記半田付け装置は、半田付着面を前記溝部分と前記先端面の２箇所に限定したことを特徴とする。
【考案の効果】
【０００８】
上記手段によれば、狭い部分にコテ先を挿入する際に、半田付け対象部分の手前にある障害物を避けて、コテ先を深部に挿入することが可能になる。そのため、コテ先が半田付け対象部分に接触する面積が広くなり、コテ先から半田付け対象部分への熱供給を多くすることができる。
【０００９】
また、半田付着面が溝部分と先端面の２箇所に限定されており、コテ先が隣接する部分に接触しても半田が付着しないため、半田まわりを防ぐことができる。
【００１０】
上記のように、半田付けに高い温度が必要な鉛フリー半田を使用する場合や、小型化された半田付け対象の半田付けの場合に対応できる、半田付け装置を提供する事ができる。
【考案を実施するための最良の形態】
【００１１】
以下この考案の実施の形態を図面を参照して説明する。図１（Ａ）は、本考案の一実施形態に係る半田付け装置１００の概要図である。半田付け装置１００のハンドル部１４の一端には、電源コード１６が取り付けられている。また、ハンドル部１４の他方の端部には、ヒーター部１２が備えられ、さらにその先にコテ部１１０が備えられている。
【００１２】
ヒーター部１２は、電源コード１６からの給電によって熱を発生する。このヒーター部１２の発熱によって、コテ部１１０は熱を供給され、その熱によって半田を溶解する。
【００１３】
図１（Ｂ）には、図１（Ａ）に示した半田付け装置１００のコテ先１０を示している。コテ先１０を側方から見ると、上面Ａと下面Ｃが傾斜して側面Ｂが先細りになっている。コテ先１０を上方から見ると、上面Ａが平面で先細りになっており、溝２０が形成されている。この溝２０は先端面３０側に開口し、先端面３０に向かって深くなっている。つまり、奥が浅く、開口側が深い形状の溝である。また、全体の太さは半田付け対象部分手前の障害物（例えばリード等半田付け対象部分の手前に突出している物）を避ける大きさになっている。コテ先１０を下方から見ると、下面Ｃが平面で先細りになっている。
【００１４】
さらに、コテ先１０は、溝２０とその先端面３０の２箇所に半田メッキが施されている。この事によって、コテ先１０の半田付着面が限定され、溶解した半田はコテ先１０の溝２０と先端面３０に付着して、他の部分には付着しない。
【００１５】
図２（Ａ）、図２（Ｂ）は、本考案の一実施形態に係るコテ先１０を備えた半田付け装置１００を用いて、リード４０に半田付けをしている様子を示している。コテ先１０には、図１での説明と同様に溝２０を備え、半田付着面が溝２０と先端面の２箇所に限定されている。図２（Ａ）は半田付け装置１００の溝２０を有する面を正面から見た図で、図２（Ｂ）は半田付け装置１００の溝２０を有する面の側方から見た図である。
【００１６】
コテ先１０に溝２０を形成する事によって、図２（Ａ）、図２（Ｂ）に示すように、コテ先１０が半田付け対象の手前にあるリード４０（障害物）を包むように挿入される。よって、リード間が狭い所でもコテ先１０を奥まで挿入することができる。この事により、コテ先１０が半田付け対象部分（ランド及びリード）に接触する面積を広くし、コテ先１０から半田付け対象部分への熱供給を多くする事ができる。また、半田付着面が溝２０と先端面の２箇所に限定されている事から、コテ先１０が隣接するリード４１〜４４に接触しても、余分な半田が付着する事がない。その結果、半田まわりを防ぐことができる。
【００１７】
上記の様に、半田付け装置１００のコテ先１０によって、半田付けに高い温度が必要な鉛フリー半田を使用する場合や、小型化された半田付け対象の半田付けの場合に対応する事が可能な半田付け装置を提供することができる。
【００１８】
また溝２０内に半田を溶解した状態にすると、先端より少し溢れる状態となる。そこで、図２（Ａ）、図２（Ｂ）に示すような姿勢にすると、半田が自然と下方に下り、ランドとリードを接続することができる。上記の実施の形態では、溝２０は断面が矩形状であるが、Ｕ字状、Ｖ字状であっても良い。
【００１９】
なお、この考案は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の考案を形成できる。例えば、実施形態に示される全構成要素から幾つかの構成要素を削除してもよい。更に、異なる実施形態に亘る構成要素を適宜組み合せてもよい。
【図面の簡単な説明】
【００２０】
【図１】本考案の一実施形態に係る半田付け装置の概要を示す図。
【図２】図１に示す半田付け装置を用いてリードに半田付けを行う様子を示した図。
【符号の説明】
【００２１】
１００…半田付け装置、１０…コテ先、２０…溝、３０…先端面
【図１】
0003106301.tif 000003
【図２】
0003106301.tif 000004